(57)【要約】      （修正有）【課題】複数の管理空間を流通した商品の管理履歴を容易に追跡調査することができる商品管理システム、商品管理方法および商品管理装置を提供する。【解決手段】商品管理システム１は無線タグ２０と、第１−４温度監視装置３１−３４と、第１−４ゲート４１−４４と、データサーバ６０とを備える。無線タグは、商品Ｇに付され、データの読み書きが可能であり、商品Ｇを他の商品と識別する商品ＩＤが書き込まれる。第１−４温度監視装置は、第１−４施設１１−１４の状態を示す第１−４温度データ３１０−３４０を記憶する。第１−４ゲートは、商品Ｇがそれぞれの施設を流通したことを示す施設ＩＤを含む第１−４流通データを無線タグに書き込む。データサーバは、無線タグに書き込まれた商品ＩＤと第１−４流通データに基づいて、第１−４温度データを連結して商品Ｇの温度履歴データを作成する。【選択図】        図２
2004299827.tif 000002
【特許請求の範囲】
【請求項１】
複数の管理空間（１１−１４）を流通する商品（Ｇ）を管理する商品管理システム（１）であって、
前記商品（Ｇ）に付され、データの読み書きが可能であり、前記商品（Ｇ）を他の商品と識別する商品識別データ（２１０）が書き込まれた識別部材（２０）と、
前記各管理空間（１１−１４）の状態を示す管理データ（３１０，３２０，３３０，３４０）を記憶する記憶装置（３１−３４）と、
前記商品（Ｇ）が前記各管理空間（１１−１４）を流通すると、前記商品（Ｇ）が前記各管理空間（１１−１４）を流通したことを示す空間識別データ（４１１−４１４）を含む流通データ（４０１−４０４）を前記識別部材（２０）に書き込む書込み装置（４１−４４）と、
前記識別部材（２０）に書き込まれた前記商品識別データ（２１０）と、前記流通データ（４０１−４０４）とに基づいて、前記記憶装置（３１−３４）が記憶する前記各管理データ（３１０，３２０，３３０，３４０）を関連づけて前記商品（Ｇ）の管理履歴データ（６００）を作成する履歴作成装置（６０）と、を備える商品管理システム（１）。
【請求項２】
前記管理空間（１１−１４）は、少なくとも第１管理空間（１１）および第２管理空間（１２）を含み、
前記記憶装置（３１−３４）は、少なくとも第１記憶装置（３１）と第２記憶装置（３２）とを含み、
前記第１記憶装置（３１）は、前記第１管理空間（１１）の状態を示す第１管理データ（３１０）を記憶し、
前記第２記憶装置（３２）は、前記第２管理空間（１２）の状態を示す第２管理データ（３２０）を記憶し、
前記書込み装置（４１−４４）は、少なくとも第１書込み装置（４１）と第２書込み装置（４２）とを含み、
前記第１書込み装置（４１）は、前記商品（Ｇ）が前記第１管理空間（１１）を流通すると、前記商品（Ｇ）が前記第１管理空間（１１）を流通したことを示す第１空間識別データ（４１１）を含む第１流通データ（４０１）を前記識別部材（２０）に書き込み、
前記第２書込み装置（４２）は、前記商品（Ｇ）が前記第２管理空間（１２）を流通すると、前記商品（Ｇ）が前記第２管理空間（１２）を流通したことを示す第２空間識別データ（４１２）を含む第２流通データ（４０２）を前記識別部材（２０）に書き込み、
前記履歴作成装置（６０）は、前記識別部材（２０）に書き込まれた前記商品識別データ（２１０）と前記第１流通データ（４０１）と前記第２流通データ（４０２）とに基づいて、前記第１記憶装置（３１）が記憶する第１管理データ（３１０）と前記第２記憶装置（３２）が記憶する第２管理データ（３２０）とを関連づけて前記商品（Ｇ）の管理履歴データ（６００）を作成する、請求項１に記載の商品管理システム（１）。
【請求項３】
前記第１管理データ（３１０）と前記第２管理データ（３２０）とは、時系列的なデータであり、
前記第１流通データ（４０１）は、前記商品（Ｇ）が第１管理空間（１１）を出入りした時刻を示す第１時刻データ（４３１）をさらに含み、
前記第２流通データ（４０２）は、前記商品（Ｇ）が第２管理空間（１２）を出入りした時刻を示す第２時刻データ（４３２）をさらに含む、請求項２に記載の商品管理システム（１）。
【請求項４】
前記第１管理データ（３１０）は、前記第１管理空間（１１）の温度を示す第１温度データ（３１０）を含み、
前記第２管理データ（３２０）は、前記第２管理空間（１２）の温度を示す第２温度データ（３２０）を含む、請求項２または３に記載の商品管理システム（１）。
【請求項５】
前記識別部材（２０）は、無線によりデータの読み書きが可能な無線タグ（２０）である、請求項２から４のいずれかに記載の商品管理システム（１）。
【請求項６】
前記履歴作成装置（６０）は、前記第１記憶装置（３１）および前記第２記憶装置（３２）と、通信網（ＮＴ）を介して接続されている、請求項２から５のいずれかに記載の商品管理システム（１）。
【請求項７】
前記履歴作成装置（６０）と接続されており、前記識別部材（２０）から前記商品識別データ（２１０）と前記第１流通データ（４０１）と前記第２流通データ（４０２）とを読み出して前記履歴作成装置（６０）へと送信する読出し装置（５０）をさらに備える、請求項２から６のいずれかに記載の商品管理システム（１）。
【請求項８】
前記読出し装置（５０）は、前記履歴作成装置（６０）から前記商品（Ｇ）の前記管理履歴データ（６００）を受信して表示する、請求項７に記載の商品管理システム（１）。
【請求項９】
少なくとも第１管理空間（１１）および第２管理空間（１２）を含む複数の管理空間（１１−１４）を流通する商品（Ｇ）を管理するための商品管理方法であって、
前記商品（Ｇ）に付されデータの読み書きが可能な識別部材（２０）に、前記商品（Ｇ）を他の商品と識別する商品識別データ（２１０）が書き込まれる第１ステップ（Ｓ１）と、
前記第１管理空間（１１）の状態を示す第１管理データ（３１０）が第１記憶装置（３１）に記憶される第２ステップ（Ｓ５）と、
前記商品（Ｇ）が前記第１管理空間（１１）を流通すると、前記商品（Ｇ）が前記第１管理空間（１１）を流通したことを示す第１空間識別データ（４１１）を含む第１流通データ（４０１）が前記識別部材（２０）に書き込まれる第３ステップ（Ｓ２）と、
前記第２管理空間（１２）の状態を示す第２管理データ（３２０）が第２記憶装置（３２）に記憶される第４ステップ（Ｓ７）と、
前記商品（Ｇ）が前記第２管理空間（１２）を流通すると、前記商品（Ｇ）が前記第２管理空間（１２）を流通したことを示す第２空間識別データ（４１２）を含む第２流通データ（４０２）が前記識別部材（２０）に書き込まれる第５ステップ（Ｓ３，Ｓ４）と、
前記識別部材（２０）に書き込まれた前記商品識別データ（２１０）と前記第１流通データ（４０１）と前記第２流通データ（４０２）とに基づいて、前記第１記憶装置（３１）が記憶する第１管理データ（３１０）と前記第２記憶装置（３２）が記憶する第２管理データ（３２０）とが関連づけられて前記商品（Ｇ）の管理履歴データ（６００）が作成される第６ステップ（Ｓ１３）と、を備える商品管理方法。
【請求項１０】
前記商品（Ｇ）が流通途中において分割されたときに、前記識別部材（２０）に書き込まれたデータが、分割された商品（Ｇ２−Ｇ４）のそれぞれに付される新たな識別部材（２２−２４）にコピーされる第７ステップ（Ｓ３ａ）、をさらに備える請求項９に記載の商品管理方法。
【請求項１１】
少なくとも第１管理空間（１１）および第２管理空間（１２）を含む複数の管理空間を流通する商品（Ｇ）を管理する商品管理装置（６０）であって、
第１記憶装置（３１）が記憶する前記第１管理空間（１１）の状態を示す第１管理データ（３１０）と、第２記憶装置（３２）が記憶する前記第２管理空間（１２）の状態を示す第２管理データ（３２０）とを受信する第１受信部（６１）と、
前記第１管理空間（１１）と前記第２管理空間（１２）とを流通した前記商品（Ｇ）に付される識別部材（２０）に記憶された、前記商品（Ｇ）を他の商品と識別する商品識別データ（２１０）と、前記商品（Ｇ）が前記第１管理空間（１１）を流通したことを示す第１空間識別データ（４１１）を含む第１流通データ（４０１）と、前記商品（Ｇ）が前記第２管理空間（１２）を流通したことを示す第２空間識別データ（４１２）を含む第２流通データ（４０２）とを受信する第２受信部（６１）と、
前記商品識別データ（２１０）と前記第１流通データ（４０１）と前記第２流通データ（４０２）とに基づいて、前記第１記憶装置（３１）が記憶する第１管理データ（３１０）と前記第２記憶装置（３２）が記憶する第２管理データ（３２０）とを関連づけて前記商品（Ｇ）の管理履歴データ（６００）を作成する履歴作成部（６３）と、を備える商品管理装置（６０）。
【請求項１２】
少なくとも第１管理空間（１１）および第２管理空間（１２）を含む複数の管理空間（１１−１４）を流通する商品（Ｇ）を管理する商品管理システム（２）であって、
前記商品（Ｇ）の管理履歴データ（６００）を作成する履歴作成装置（６４）と、
前記商品（Ｇ）に付され、前記商品（Ｇ）を他の商品と識別する商品識別データ（２１０）を有する識別部材（２５）と、
前記第１管理空間（１１）の状態を示す第１管理データ（３１０）を記憶する第１記憶装置（３１）と、
前記商品（Ｇ）が前記第１管理空間（１１）を流通すると前記商品（Ｇ）が前記第１管理空間（１１）を流通したことを示す第１空間識別データ（４１１）を含む第１流通データ（４０１）を前記履歴作成装置（６０）へと送信する第１送信装置（４５）と、
前記第２管理空間（１２）の状態を示す第２管理データ（３２０）を記憶する第２記憶装置（３２）と、
前記商品（Ｇ）が前記第２管理空間（１２）を流通すると前記商品（Ｇ）が前記第２管理空間（１２）を流通したことを示す第２空間識別データ（４１２）を含む第２流通データ（４０２）を前記履歴作成装置（６０）へと送信する第２送信装置（４６）と、を備え、
前記履歴作成装置（６０）は、前記識別部材（２４）が有する前記商品識別データ（２１０）と、前記第１送信装置（４５）から受信した前記第１流通データ（４０１）と、前記第２送信装置（４６）から受信した前記第２流通データ（４０２）とに基づいて、前記第１記憶装置（３１）が記憶する第１管理データ（３１０）と前記第２記憶装置（３２）が記憶する第２管理データ（３２０）とを関連づけて前記管理履歴データ（６００）を作成する、商品管理システム。
【発明の詳細な説明】
【０００１】
【発明の属する技術分野】
本発明は、商品管理システム、商品管理方法および商品管理装置に関する。
【０００２】
【従来の技術】
商品が流通する場合、各流通段階において商品が管理空間に置かれる。例えば、食品流通では、流通する商品は、調理・加工場、冷凍・冷蔵庫、配送トラックの保冷庫、店舗ショーケースなどに置かれる。そして、従来、このような管理空間において、商品が置かれた環境の温度や湿度などを管理する管理システムや管理装置が知られている（特許文献１参照）。
【０００３】
【特許文献１】
特開２００２−２６７３１３号公報
【０００４】
【発明が解決しようとする課題】
しかし、上記のような管理システム等では、商品が置かれた場所の温度や湿度などが管理されるとしても、その管理は管理空間毎に行われることが多い。従って、複数の管理空間を流通した商品の管理履歴を追跡調査することは困難である。
【０００５】
本発明の課題は、複数の管理空間を流通した商品の管理履歴を容易に追跡調査することができる商品管理システム、商品管理方法および商品管理装置を提供することにある。
【０００６】
【課題を解決するための手段】
請求項１に記載の商品管理システムは、複数の管理空間を流通する商品を管理する商品管理システムであって、識別部材と記憶装置と書込み装置と履歴作成装置とを備える。識別部材は、商品に付され、データの読み書きが可能であり、商品を他の商品と識別する商品識別データが書き込まれる。記憶装置は、各管理空間の状態を示す管理データを記憶する。書込み装置は、商品が各管理空間を流通すると、商品が各管理空間を流通したことを示す空間識別データを含む流通データを識別部材に書き込む。履歴作成装置は、識別部材に書き込まれた商品識別データと、流通データとに基づいて、記憶装置が記憶する各管理データを関連づけて商品の管理履歴データを作成する。
【０００７】
この商品管理システムでは、複数の管理空間を流通した商品の識別部材に、商品を他の商品と識別する商品識別データと、流通データとが書き込まれる。流通データには、商品が各管理空間を流通したことを示す空間識別データが含まれる。従って、商品の識別部材に書き込まれたデータによって、商品が各管理空間を流通したことが把握される。そして、履歴作成装置が各管理データを関連づけることによって、商品の管理履歴データが作成される。
【０００８】
このように、この商品管理システムでは、商品が流通した管理空間を容易に知ることができる。このため、この商品管理システムでは、複数の管理空間を流通した商品の管理履歴を容易に追跡調査することができる。
請求項２に記載の商品管理システムは、請求項１に記載の商品管理システムであって、管理空間は、少なくとも第１管理空間および第２管理空間を含む。また、記憶装置は、少なくとも第１記憶装置と第２記憶装置とを含む。第１記憶装置は、第１管理空間の状態を示す第１管理データを記憶する。第２記憶装置は、第２管理空間の状態を示す第２管理データを記憶する。また、書込み装置は、少なくとも第１書込み装置と第２書込み装置とを含む。第１書込み装置は、商品が第１管理空間を流通すると、商品が第１管理空間を流通したことを示す第１空間識別データを含む第１流通データを識別部材に書き込む。第２書込み装置は、商品が第２管理空間を流通すると、商品が第２管理空間を流通したことを示す第２空間識別データを含む第２流通データを識別部材に書き込む。そして、履歴作成装置は、識別部材に書き込まれた商品識別データと第１流通データと第２流通データとに基づいて、第１記憶装置が記憶する第１管理データと第２記憶装置が記憶する第２管理データとを関連づけて商品の管理履歴データを作成する。
【０００９】
この商品管理システムでは、第１管理空間と第２管理空間とを流通した商品の識別部材に、商品を他の商品と識別する商品識別データと、第１流通データと、第２流通データとが書き込まれる。第１流通データには、商品が第１管理空間を流通したことを示す第１空間識別データが含まれ、第２流通データには、商品が第２管理空間を流通したことを示す第２空間識別データが含まれる。従って、商品の識別部材に書き込まれたデータによって、商品が第１管理空間と第２管理空間とを流通したことが把握される。そして、履歴作成装置が第１管理データと第２管理データとを関連づけることによって、商品の管理履歴データが作成される。
【００１０】
このように、この商品管理システムでは、商品が流通した管理空間を容易に知ることができる。このため、この商品管理システムでは、複数の管理空間を流通した商品の管理履歴を容易に追跡調査することができる。
請求項３に記載の商品管理システムは、請求項２に記載の商品管理システムであって、第１管理データと第２管理データとは、時系列的なデータである。そして、第１流通データは、商品が第１管理空間を出入りした時刻を示す第１時刻データをさらに含む。また、第２流通データは、商品が第２管理空間を出入りした時刻を示す第２時刻データをさらに含む。
【００１１】
この商品管理システムでは、商品の識別部材に記憶された第１時刻データと第２時刻データとから、商品が第１管理空間を出入りした時刻と第２管理空間を出入りした時刻とが分かる。このため、商品が第１管理空間に置かれた期間と第２管理空間に置かれた期間とを通した各時刻での商品の管理履歴が分かる管理履歴データを作成することができる。これにより、この商品管理システムでは、複数の管理空間を流通した商品の管理履歴をより容易に追跡調査することができる。
【００１２】
請求項４に記載の商品管理システムは、請求項２または３に記載の商品管理システムであって、第１管理データは、第１管理空間の温度を示す第１温度データを含む。また、第２管理データは、第２管理空間の温度を示す第２温度データを含む。
この商品管理システムでは、第１管理空間の温度を示す第１温度データと第２管理空間の温度を示す第２温度データとを連結して、商品の管理履歴データを作成することができる。このため、この商品管理システムでは、各管理空間において商品がどのような温度状況下に置かれたかを追跡調査することができる。
【００１３】
請求項５に記載の商品管理システムは、請求項２から４のいずれかに記載の商品管理システムであって、識別部材は、無線によりデータの読み書きが可能な無線タグである。
この商品管理システムでは、無線タグを商品に付することにより、商品の管理が行われる。このため、商品のデータの書込みや読出しが容易であり、商品の管理を容易に行うことができる。
【００１４】
請求項６に記載の商品管理システムは、請求項２から５のいずれかに記載の商品管理システムであって、履歴作成装置は、第１記憶装置および第２記憶装置と、通信網を介して接続されている。
この商品管理システムでは、履歴作成装置は、第１記憶装置および第２記憶装置から、通信網を介して、第１管理データと第２管理データとを受信することができる。このため、この商品管理システムでは、履歴作成装置が第１管理データと第２管理データとを容易に入手して、商品の管理履歴データを容易に作成することができる。
【００１５】
請求項７に記載の商品管理システムは、請求項２から６のいずれかに記載の商品管理システムであって、読出し装置をさらに備える。読出し装置は、履歴作成装置と接続されており、識別部材から商品識別データと第１流通データと第２流通データとを読み出して履歴作成装置へと送信する。
この商品管理システムでは、識別部材に記憶されたデータを読出し装置によって読み出して履歴作成装置へと送信することができる。このため、任意の管理空間において読出し装置を用いることによって、当該管理空間に至るまでの商品の管理履歴データを履歴作成装置に作成させることができる。
【００１６】
請求項８に記載の商品管理システムは、請求項７に記載の商品管理システムであって、読出し装置は、履歴作成装置から商品の管理履歴データを受信して表示する。
この商品管理システムでは、読出し装置が、履歴作成装置から商品の管理履歴データを受信して表示することができる。このため、任意の管理空間において読出し装置を用いることによって、当該管理空間に至るまでの商品の管理履歴データを容易に調べることができる。
【００１７】
請求項９に記載の商品管理方法は、少なくとも第１管理空間および第２管理空間を含む複数の管理空間を流通する商品を管理するための商品管理方法であって、第１ステップと第２ステップと第３ステップと第４ステップと第５ステップと第６ステップとを備える。第１ステップでは、商品に付されデータの読み書きが可能な識別部材に、商品を他の商品と識別する商品識別データが書き込まれる。
第２ステップでは、第１管理空間の状態を示す第１管理データが第１記憶装置に記憶される。第３ステップでは、商品が第１管理空間を流通すると、商品が第１管理空間を流通したことを示す第１空間識別データを含む第１流通データが、識別部材に書き込まれる。第４ステップでは、第２管理空間の状態を示す第２管理データが第２記憶装置に記憶される。第５ステップでは、商品が第２管理空間を流通すると、商品が第２管理空間を流通したことを示す第２空間識別データを含む第２流通データが、識別部材に書き込まれる。第６ステップでは、識別部材に書き込まれた商品識別データと第１流通データと第２流通データとに基づいて、第１記憶装置が記憶する第１管理データと第２記憶装置が記憶する第２管理データとが関連づけられて商品の管理履歴データが作成される。
【００１８】
この商品管理方法では、第１管理空間と第２管理空間とを流通した商品の識別部材に、商品を他の商品と識別する商品識別データと、第１流通データと、第２流通データとが書き込まれる。第１流通データには、商品が第１管理空間を流通したことを示す第１空間識別データが含まれ、第２流通データには、商品が第２管理空間を流通したことを示す第２空間識別データが含まれる。従って、商品の識別部材に書き込まれたデータによって、商品が第１管理空間と第２管理空間とを流通したことが把握される。そして、第１管理データと第２管理データとが関連づけられることによって、商品の管理履歴データが作成される。
【００１９】
このように、この商品管理方法では、商品が流通した管理空間を容易に知ることができる。このため、この商品管理方法では、複数の管理空間を流通した商品の管理履歴を容易に追跡調査することができる。
請求項１０に記載の商品管理方法は、請求項９に記載の商品管理方法であって、第７ステップをさらに備える。第７ステップでは、商品が流通途中において分割されたときに、識別部材に書き込まれたデータが、分割された商品のそれぞれに付される新たな識別部材にコピーされる。
【００２０】
商品の流通においては、流通途中で商品が分割されることがある。例えば、複数の小箱が詰められた大箱の商品が流通する場合、流通途中で大箱から小箱に分けられることがある。このような場合、大箱に識別部材が付された状態のままでは、小箱に分かれてからの商品の管理履歴を追跡調査することは困難である。
しかし、この商品管理方法では、商品が流通途中において分割されたときに、識別部材に書き込まれたデータが、分割された商品のそれぞれに付される新たな識別部材にコピーされる。このため、分割された商品の分割前と分割後とを合わせた管理履歴を容易に追跡調査することができる。
【００２１】
請求項１１に記載の商品管理装置は、少なくとも第１管理空間および第２管理空間を含む複数の管理空間を流通する商品を管理する商品管理装置であって、第１受信部と、第２受信部と、履歴作成部とを備える。第１受信部は、第１管理データと第２管理データとを受信する。第１管理データは、第１管理装置が記憶する第１管理空間の状態を示すデータである。第２管理データは、第１管理装置が記憶する第２管理空間の状態を示すデータである。第２受信部は、識別部材に記憶された商品識別データと、第１流通データと、第２流通データとを受信する。
識別部材は、第１管理空間と第２管理空間とを流通する商品に付される部材である。商品識別データは、商品を他の商品と識別するデータである。第１流通データは、商品が第１管理空間を流通したことを示す第１空間識別データを含む。第２流通データは、商品が第２管理空間を流通したことを示す第２空間識別データを含む。履歴作成部は、商品識別データと第１流通データと第２流通データとに基づいて、第１記憶装置が記憶する第１管理データと第２記憶装置が記憶する第２管理データとを関連づけて商品の管理履歴データを作成する。
【００２２】
この商品管理装置では、第１管理空間と第２管理空間とを流通した商品の識別部材が記憶する商品識別データと、第１流通データと、第２流通データとが受信される。そして、第１流通データには、商品が第１管理空間を流通したことを示す第１空間識別データが含まれ、第２流通データには、商品が第２管理空間を流通したことを示す第２空間識別データが含まれる。従って、商品の識別部材に書き込まれたデータによって、商品が第１管理空間と第２管理空間とを流通したことが把握される。また、この商品管理装置では、第１管理データと第２管理データとが受信される。そして、履歴作成部が第１管理データと第２管理データとを関連づけることによって、商品の管理履歴データが作成される。
【００２３】
このように、この商品管理装置では、商品が流通した管理空間を容易に知ることができる。このため、この商品管理装置では、複数の管理空間を流通した商品の管理履歴を容易に追跡調査することができる。
請求項１２に記載の商品管理システムは、少なくとも第１管理空間および第２管理空間を含む複数の管理空間を流通する商品を管理する商品管理システムであって、履歴作成装置と、識別部材と、第１記憶装置と、第１送信装置と、第２記憶装置と、第２送信装置とを備える。履歴作成装置は、商品の管理履歴データを作成する。識別部材は、商品に付され、商品を他の商品と識別する商品識別データを有する。第１記憶装置は、第１管理空間の状態を示す第１管理データを記憶する。第１送信装置は、商品が第１管理空間を流通すると、商品が第１管理空間を流通したことを示す第１空間識別データを含む第１流通データを履歴作成装置へと送信する。第２記憶装置は、第２管理空間の状態を示す第２管理データを記憶する。第２送信装置は、商品が第２管理空間を流通すると、商品が第２管理空間を流通したことを示す第２空間識別データを含む第２流通データを履歴作成装置へと送信する。そして、履歴作成装置は、識別部材が有する商品識別データと、第１送信装置から受信した第１流通データと、第２送信装置から受信した第２流通データとに基づいて、第１記憶装置が記憶する第１管理データと第２記憶装置が記憶する第２管理データとを関連づけて管理履歴データを作成する。
【００２４】
この商品管理システムでは、第１管理空間と第２管理空間とを流通した商品の識別部材は、商品を他の商品と識別する商品識別データを有する。そして、第１流通データと第２流通データとが履歴作成装置へと送信される。第１流通データには、商品が第１管理空間を流通したことを示す第１空間識別データが含まれ、第２流通データには、商品が第２管理空間を流通したことを示す第２空間識別データが含まれる。従って、履歴作成装置は、商品の識別部材に書き込まれた商品識別データによって商品を認識して、その商品の第１流通データと第２流通データを参照することによって商品が第１管理空間と第２管理空間とを流通したことが把握される。そして、履歴作成装置が第１管理データと第２管理データとを関連づけることによって、商品の管理履歴データが作成される。
【００２５】
このように、この商品管理システムでは、商品が流通した管理空間を容易に知ることができる。このため、この商品管理システムでは、複数の管理空間を流通した商品の管理履歴を容易に追跡調査することができる。
また、この商品管理システムでは、初めに商品識別データを識別部材に持たせればよく、その後に識別部材にデータを書き込む必要が少ない。このため、識別部材に書き込まれるデータを低減することができる。あるいは、読出し専用の識別部材を使用することができる。
【００２６】
【発明の実施の形態】
＜第１実施形態＞
［流通システムの概略］
本発明の第１実施形態に係る商品管理システムが採用される流通システムの概略図を図１に示す。
【００２７】
この流通システムは、食品の流通システムであり、食品工場、配送トラックおよび店舗により構成される。食品工場内には、食品が調理・加工される調理・加工場と、完成した食品が保管される工場内冷蔵庫とがある。配送トラックには、商品を収容するトラック保冷庫がある。また、店舗には、商品を低温度で陳列するショーケースがある。
【００２８】
この流通システムでは、複数の商品Ｇが上記のような複数の施設を流通する。
すなわち、複数の商品Ｇは、食品工場の調理・加工場および工場内冷蔵庫と、配送トラックのトラック保冷庫と、店舗のショーケースとを流通する。
この流通システムにおいては、まず、調理・加工場で食品が製造され商品Ｇが完成する。商品Ｇは、工場内冷蔵庫にしばらく保管される。次に、商品Ｇは、配送トラックのトラック保冷庫に収納され、食品工場から供給先である店舗に向けて出荷される。商品Ｇは、配送トラックに搬送される間、トラック保冷庫に保管される。配送トラックが店舗に到着すると、商品Ｇが、トラック保冷庫から下ろされ店舗に納品される。納品された商品Ｇは、ショーケースに陳列される。
【００２９】
このように、出荷、搬送時、納品時の各流通段階において、商品Ｇは、調理・加工場、工場内冷蔵庫、トラック保冷庫およびショーケース等の施設に保管される。そして、調理・加工場、工場内冷蔵庫、トラック保冷庫およびショーケースは、食品である商品Ｇが劣化しないように、それぞれ温度管理されており低温に維持されている。
【００３０】
なお、この流通システムにおいては、これらの各施設はそれぞれ一つずつ存在するのではなく、同種の施設が複数存在する。例えば、配送トラックは一台に限らず、複数の配送トラックが存在し、その中の一台が商品Ｇを搬送する。以下、調理・加工場の一つである第１施設１１、工場内冷蔵庫の一つである第２施設１２、トラック保冷庫の一つである第３施設１３、ショーケースの一つである第４施設１４を例として説明するが、さらに他の施設が含まれることを除外するものではない。
【００３１】
［商品管理システムの構成］
上記のような流通システムにおいて用いられる本発明の第１実施形態にかかる商品管理システム１の構成図を図２に示す。この商品管理システム１は、流通システムを通した一貫した商品Ｇの温度管理履歴を個別の商品Ｇごとに調査することができるシステムである。商品管理システム１は、主として、商品Ｇに付される無線タグ２０と、各施設１１−１４に配置される複数の温度監視装置３１−３４と、各施設１１−１４に配置される複数のゲート４１−４４と、履歴調査端末５０と、データセンターに配置されるデータサーバ６０とによって構成される。
【００３２】
無線タグ２０は、複数の商品Ｇのそれぞれに付される。無線タグ２０は、無線によってデータの読み書きが可能であり、ある商品Ｇを他の商品と識別する商品ＩＤ２１０とその他のデータ等とを含む商品データ２００が書き込まれる（図３（ａ）参照）。
温度監視装置３１−３４は、配置された施設１１−１４の温度を監視し施設１１−１４の温度データ３１０−３４０として記憶する。この温度データ３１０−３４０は、時間ごとに計測された施設１１−１４の温度のデータであり、時系列的なデータである（図８参照）。温度監視装置３１−３４は各施設１１−１４にそれぞれ配置されており、第１温度監視装置３１、第２温度監視装置３２、第３温度監視装置３３および第４温度監視装置３４を有する。第１温度監視装置３１は、食品工場内の調理・加工場の一つである第１施設１１の温度を監視し、第１施設１１で管理されている温度を第１温度データ３１０として記憶する。第２温度監視装置３２は、食品工場内の工場内冷蔵庫の一つである第２施設１２の温度を監視し、第２施設１２で管理されている温度を第２温度データ３２０として記憶する。第３温度監視装置３３は、トラック保冷庫の一つである第３施設１３の温度を監視し、第３施設１３で管理されている温度を第３温度データ３３０として記憶する。第４温度監視装置３４は、店舗内のショーケースの一つである第４施設１４の温度を監視し、第４施設１４で管理されている温度を第４温度データ３４０として記憶する。各温度監視装置３１−３４は、インターネット等の通信網ＮＴを介してデータサーバ６０と接続されており、各温度データ３１０−３４０をデータサーバ６０へと送信する。
【００３３】
ゲート４１−４４は、各流通段階の境界に配置されている。すなわち、ゲート４１−４４は、各施設１１−１４の出入り口にそれぞれ配置されており、商品Ｇがある施設を流通する際にその施設のゲートを通過すると、図３（ａ）に示すように、その施設の施設ＩＤ４１０、入出荷フラグ４２０、入出荷時刻４３０からなる流通データ４００をその商品Ｇの無線タグ２０に自動的に書き込む。施設ＩＤ４１０は、ある施設を他の施設と識別するために施設１１−１４毎に決められたコードである。入出荷フラグ４２０は、商品が入荷されたのか又は出荷されたのかを識別するコードであり、入荷フラグ４２０ａと出荷フラグ４２０ｂとがある。入出荷時刻４３０は、商品Ｇが入荷または出荷された年月日および時刻であり、入荷時刻４３０ａと出荷時刻４３０ｂとがある。ゲート４１−４４は、第１ゲート４１、第２ゲート４２、第３ゲート４３および第４ゲート４４を有する。第１ゲート４１は、第１施設１１と第１施設１１の外部との境界に配置されている。第１ゲート４１は、商品Ｇが第１施設１１を流通すると、図３（ｂ）に示すように、第１施設１１の施設ＩＤ４１１、入出荷フラグ４２１、入出荷時刻４３１からなる第１流通データ４０１をその商品Ｇの無線タグ２０に書き込む。第２ゲート４２は、第２施設１２と第２施設１２の外部との境界に配置されている。
第２ゲート４２は、商品Ｇが第２施設１２を流通すると、図３（ｃ）に示すように、第２施設１２の施設ＩＤ４１２、入出荷フラグ４２２、入出荷時刻４３２からなる第２流通データ４０２をその商品Ｇの無線タグ２０に書き込む。第３ゲート４３は、第３施設１３と第３施設１３の外部との境界に配置されている。第３ゲート４３は、商品Ｇが第３施設１３を流通すると、図３（ｄ）に示すように、第３施設１３の施設ＩＤ４１３、入出荷フラグ４２３、入出荷時刻４３３からなる第３流通データ４０３をその商品Ｇの無線タグ２０に書き込む。第４ゲート４４は、第４施設１４と第４施設１４の外部との境界に配置されている。第４ゲート４４は、商品Ｇが第４施設１４を流通すると、図３（ｅ）に示すように、第４施設１４の施設ＩＤ４１４、入出荷フラグ４２４、入出荷時刻４３４からなる第４流通データ４０４をその商品Ｇの無線タグ２０に書き込む。
【００３４】
履歴調査端末５０は、上記の流通段階の任意の位置に置かれ、その流通段階にいたるまでの商品Ｇの温度管理履歴を調査する装置である。履歴調査端末５０は、無線タグ２０に書き込まれた商品データ２００を読み出してデータサーバ６０へと送ると共に、データサーバ６０から送られる商品Ｇの温度履歴データ６００を表示する。履歴調査端末５０は、主として、リーダー５１とホストコンピュータ５２とによって構成されている。リーダー５１は、商品Ｇに付された無線タグ２０から商品Ｇの商品ＩＤ２１０と流通データ４００とを読み出して記憶する。
リーダー５１は、ホストコンピュータ５２と無線又は有線によって接続され、読み出した商品データ２００をホストコンピュータ５２へと送信する。ホストコンピュータ５２は、データサーバ６０と通信網ＮＴを介して接続されており、読み出した商品データ２００をデータサーバ６０へと送信する。また、ホストコンピュータ５２は、データサーバ６０によって作成された温度履歴データ６００を受信する。受信された温度履歴データ６００は、ホストコンピュータ５２のモニタやリーダー５１のモニタに表示される。
【００３５】
データサーバ６０は、各施設１１−１４から離れたデータセンターに配置されている。データサーバ６０は、通信部６１と記憶部６２と履歴作成部６３とを有する。通信部６１は、インターネット等の通信網ＮＴによって、各施設１１−１４の温度監視装置３１−３４や履歴調査端末５０と接続されている。通信部６１は、各施設１１−１４の温度監視装置３１−３４から温度データ３１０−３４０を受信し、履歴調査端末５０から履歴を調査する商品Ｇの商品ＩＤ２１０と流通データ４００とを受信する。また、通信部６１は、作成された温度履歴データ６００を履歴調査端末５０へと送信する。記憶部６２は、各温度監視装置３１−３４が記憶する温度データ３１０−３４０を蓄積する。履歴作成部６３は、履歴調査端末５０から受信した商品Ｇの商品ＩＤ２１０と流通データ４００とに基づいて、その商品Ｇが流通した複数の施設１１−１４の温度データ３１０−３４０を連結して、その商品Ｇの温度履歴データ６００を作成する。
【００３６】
［商品管理の手順］
次に、商品管理システム１によって商品Ｇの管理が行われる場合に各装置で行われる商品管理の手順を説明する。
〈商品に対する商品管理の手続きフロー〉
まず、食品工場の調理・加工場である第１施設１１での手続きフローを図４（ａ）に示す。第１施設１１においてある商品Ｇが完成されると、ステップＳ１において、無線タグ２０に商品Ｇの商品ＩＤ２１０が書き込まれる（図３（ａ）参照）。また、第１施設１１の施設ＩＤ４１１、入荷フラグ４２１ａが、無線タグ２０に書き込まれる（図３（ｂ）参照）。そして、その商品Ｇの第１施設１１での管理開始時刻が入荷時刻４３１ａとして無線タグ２０に書き込まれる。この無線タグ２０への書込みは、無線タグ２０が商品Ｇに付される前に行われてもよく、無線タグが商品Ｇに付された後に行われてもよい。完成された商品Ｇが第１施設１１から出荷されると、ステップＳ２において、出荷時刻等の書込みが行われる。ここでは、商品Ｇが第１施設１１の第１ゲート４１を通ることによって、第１施設１１の施設ＩＤ４１１、出荷フラグ４２１ｂ、第１施設１１からの出荷時刻４３１ｂが無線タグ２０に自動的に書き込まれる。
【００３７】
第１施設１１から出荷された商品Ｇは、食品工場の工場内冷蔵庫である第２施設１２に一時的に保管される。第２施設１２での手続きフローを図４（ｂ）に示す。商品Ｇが第２施設１２に入荷されると、ステップＳ３において、入荷時刻等の書込みが行われる。ここでは、商品Ｇが第２ゲート４２を通ることによって、第２施設１２の施設ＩＤ４１２、入荷フラグ４２２ａ、第２施設１２への入荷時刻４３２ａが無線タグ２０に自動的に書き込まれる（図３（ｃ）参照）。そして、商品Ｇは第２施設１２にしばらく保管される。その後、商品Ｇが第２施設１２から出荷されると、ステップＳ４において、出荷時刻等の書込みが行われる。ここでは、商品Ｇが第２ゲート４２を通ることによって、第２施設１２の施設ＩＤ４１２、出荷フラグ４２２ｂ、第２施設１２からの出荷時刻４３２ｂが無線タグ２０に自動的に書き込まれる。
【００３８】
第２施設１２から出荷された商品Ｇは、配送トラックである第３施設１３によって配送される。この場合も、商品Ｇが第３施設１３に入荷される際と第３施設１３から出荷される際に、上記のステップＳ３とステップＳ４と同様にして、第３施設１３の施設ＩＤ４１３、入荷フラグ４２３ａ、入荷時刻４３３ａ、出荷フラグ４２３ｂ、出荷時刻４３３ｂ等が無線タグ２０に書き込まれる（図３（ｄ）参照）。
【００３９】
第３施設１３に保管されて配送された商品Ｇは、店舗のショーケースである第４施設１４に入荷されて陳列される。この場合も、商品Ｇが第４施設１４に入荷される際に上記のステップＳ３と同様にして、第４施設１４の施設ＩＤ４１４，入荷フラグ４２４ａ，入荷時刻４３４ａが無線タグ２０に書き込まれる（図３（ｅ）参照）。
【００４０】
このように、第１施設１１、第２施設１２、第３施設１３および第４施設１４を流通した商品Ｇの無線タグ２０には、図５に示すように、商品Ｇの商品ＩＤ２１０と、流通データ４００とが記憶されている。なお、商品が第４施設に納品された状態では、流通データ４００は、第１流通データ４０１、第２流通データ４０２、第３流通データ４０３、第４流通データ４０４によって構成されている。
【００４１】
ところで、図６（ａ）に示すような商品Ｇが、流通途中において、図６（ｂ）に示すような小さな複数の商品Ｇ２−Ｇ４に分割される場合がある。例えば、複数の商品Ｇ２−Ｇ４をまとめて収納するダンボール箱が一つの商品Ｇとして流通する場合に、流通途中でダンボール箱の中の複数の商品Ｇ２−Ｇ４が取り出され、それぞれの商品Ｇ２−Ｇ４が別の流通ルートへと進む場合がある。この商品管理システム１では、このような場合には、図４（ｃ）に示すように、ステップＳ３ａにおいて、データのコピーが行われる。ここでは、分割された商品Ｇ２−Ｇ３のそれぞれに新たな無線タグ２２−２４が付される。この無線タグ２２−２４のそれぞれには、分割された商品Ｇ２−Ｇ４を識別する新たな商品ＩＤ２１２−２１４が記憶されている。そして、商品Ｇの無線タグ２０に書き込まれている流通データ４００が分割された商品Ｇ２−Ｇ４のそれぞれに付される新たな無線タグ２２−２４にコピーされる。
【００４２】
〈各施設の温度監視装置における商品管理の手続きフロー〉
上記の商品Ｇの流通に平行して、各施設１１−１４では温度監視装置３１−３４が配置された施設の温度を監視している。
第１施設１１における第１温度監視装置３１の温度監視の手続きフローを図７（ａ）に示す。まず、ステップＳ５において、第１温度データ３１０の記憶が行われる。ここでは、第１温度監視装置３１が、第１施設１１の時間ごとの温度を第１温度データ３１０として記憶する。なお、この第１温度データ３１０は、商品Ｇが第１施設１１に保管されている間だけのデータではなく、商品Ｇが保管されている間以外の時間のデータも含む。次に、ステップＳ６において、第１温度データ３１０の送信が行われる。ここでは、第１温度監視装置３１が、第１温度データ３１０を通信網ＮＴを介してデータサーバ６０へと送信する。第１温度監視装置３１は、一定時間毎、例えば、一日毎に、記憶した第１温度データ３１０を送信する。
【００４３】
第２施設１２における第２温度監視装置３２の温度監視の手順を図７（ｂ）に示す。まず、ステップＳ７において、第２温度データ３２０の記憶が行われる。
ここでは、第２温度監視装置３２が、第２施設１２の時間ごとの温度を第２温度データ３２０として記憶する。なお、この第２温度データ３２０は、商品Ｇが第２施設１２に保管されている間だけのデータではなく、商品Ｇが保管されている間以外の時間のデータも含む。次に、ステップＳ８において、第２温度データ３２０の送信が行われる。ここでは、第２温度監視装置３２が、第２温度データ３２０を通信網ＮＴを介してデータサーバ６０へと送信する。第２温度監視装置３２は、一定時間毎、例えば、一日毎に、記憶した第２温度データ３２０を送信する。
【００４４】
第３施設１３の第３温度監視装置３３および第４施設１４の第４温度監視装置３４についても上記と同様である。
このように、第１施設１１の第１温度監視装置３１、第２施設１２の第２温度監視装置３２、第３施設１３の第３温度監視装置３３および第４施設１４の第４温度監視装置３４には、図８に示すように、各施設１１−１４の温度データ３１０−３４０がそれぞれ記憶される。そして、これらの温度データ３１０−３４０は、データサーバ６０に送信されて記憶される。
【００４５】
〈商品の温度履歴調査の手続きフロー〉
次に、第１施設１１、第２施設１２および第３施設１３を経由して第４施設１４に保管されている商品Ｇの温度履歴の調査を行う場合の手続きフローを説明する。
まず、履歴調査端末５０における手続きフローを図９（ａ）に示す。第４施設１４のユーザや消費者等が第４施設１４に保管中の商品Ｇの履歴を調査する場合、まずステップＳ９において、商品ＩＤ２１０および流通データ４００の読出しが行われる。ここでは、履歴調査端末５０が商品Ｇに付された無線タグ２０から商品ＩＤ２１０および流通データ４００を読み出す。商品ＩＤ２１０および流通データ４００は、リーダー５１によって無線タグ２０から読み出される。無線タグ２０から読み出された商品データ２００は、リーダー５１からホストコンピュータ５２へと送信される。そして、ステップＳ１０において、商品ＩＤ２１０および流通データ４００の送信が行われる。ここでは、履歴調査端末５０がデータサーバ６０へと商品ＩＤ２１０および流通データ４００を送信する。商品ＩＤ２１０および流通データ４００は、ホストコンピュータ５２からデータサーバ６０へと送信される。
【００４６】
データサーバ６０における手続きフローを図９（ｂ）に示す。データサーバ６０では、ステップＳ１１において、各温度データ３１０−３４０の受信が行われる。ここでは、データサーバ６０が各施設１１−１４の温度監視装置３１−３４から温度データ３１０−３４０を受信する。また、ステップＳ１２において、商品ＩＤ２１０および流通データ４００の受信が行われる。ここでは、データサーバ６０は、履歴調査端末５０のホストコンピュータ５２から、商品Ｇの無線タグ２０から読み出された商品ＩＤ２１０および流通データ４００を受信する。そして、ステップＳ１３において、温度履歴データ６００の作成が行われる。ここでは、データサーバ６０は、無線タグ２０から読み出された施設ＩＤ４１０と入出荷時刻４３０とに基づいて、各温度監視装置３１−３４から受信した各施設１１−１４の温度データ３１０−３４０を解析する。そして、図１０（ａ）に示すように、各施設１１−１４の温度データ３１０−３４０から、商品Ｇが保管されていた時間に相当する部分である部分温度データ３１１−３４１を抜き出す。具体的には、第１施設１１の第１温度データ３１０のうち、商品Ｇの第１施設１１での入荷時刻と出荷時刻との間の部分である第１部分温度データ３１１を抜き出す。また、第２施設１２の第２温度データ３２０のうち、商品Ｇの第２施設１２での入荷時刻と出荷時刻との間の部分である第２部分温度データ３２１を抜き出す。第３施設１３の第３温度データ３３０についても同様に第３部分温度データ３３１が抜き出される。第４施設１４の第４温度データ３４０については、第４施設１４の第４温度データ３４０のうち、商品Ｇの第４施設１４での入荷時刻から履歴の調査を開始した時刻までの部分である第４部分温度データ３４１を抜き出す。そして、データサーバ６０は、図１０（ｂ）に示すように、各温度データ３１０−３４０から抜き出した部分温度データ３１１，３２１，３３１，３４１を連結して、商品Ｇが第１施設１１から第４施設１４に至るまでの温度履歴データ６００を作成する。そして、ステップＳ１４において、温度履歴データ６００の送信が行われる。ここでは、データサーバ６０が、作成された温度履歴データ６００を履歴調査端末５０のホストコンピュータ５２へと送信する。
【００４７】
第４施設１４のユーザは、ホストコンピュータ５２やリーダー５１のモニタに表示される温度履歴データ６００を見ることにより、商品Ｇが完成されてからショーケースに陳列されるまでの商品Ｇの温度履歴を知ることができる。
［特徴］
（１）
食品流通においては、商品Ｇが流通する各施設１１−１４において温度監視が実施されることが多いが、各施設１１−１４が個別に温度監視を行っていることが通常である。また、各施設１１−１４においては、流通する複数の商品Ｇについて個々の商品Ｇごとに温度データを監視することは少ない。このような場合、各施設１１−１４での温度データを関連付けることは困難である。
【００４８】
この商品管理システム１では、流通する商品Ｇごとに付された無線タグ２０から商品ＩＤ２１０と流通データ４００とを含む商品データ２００を読み出すことによって、個々の商品Ｇが流通システムのどの施設を流通してきたか調べることができる。また、各施設１１−１４での保管期間も把握される。そして、商品Ｇが流通してきた各施設１１−１４の温度データ３１０−３４０から各施設１１−１４での保管期間に相当する部分温度データ３１１−３４１を抜き出して連結することにより、温度履歴データ６００が作成される。これにより、この商品管理システム１では、流通システム全般を通して個々の商品Ｇがおかれた温度環境を追跡調査することができる。
【００４９】
（２）
商品Ｇの流通においては、多数の施設が存在するため、複数の流通経路が考えられる場合がある。例えば、図１１に示すように、調理加工場として第１施設１１、第５施設１１ｂおよび第６施設１１ｃがあり、工場内冷蔵庫として第２施設１２、第７施設１２ｂおよび第８施設１２ｃがあり、トラック保冷庫として第３施設１３、第９施設１３ｂおよび第１０施設１３ｃがあり、ショーケースとして第４施設１４、第１１施設１４ｂおよび第１２施設１４ｃがある。このような場合、ショーケースの第４施設１４にある商品Ｇがどのような経路で第４施設１４に到達したかを調査することは困難である。つまり、調理加工場、工場内冷蔵庫、トラック保冷庫およびショーケースを順番に流通する経路は複数考えられる。
【００５０】
この商品管理システム１では、個々の商品Ｇに付された無線タグ２０に記録された流通データ４００を調べることにより、個々の商品Ｇが経由した施設を容易に知ることができる。つまり、図１１の例では、第４施設１４に到達するまでの流通経路は、複数考えられるが、商品Ｇに付された無線タグ２０の流通データ４００によって、その商品Ｇが、第１施設１１、第２施設１２および第３施設１３を経由して第４施設１４に到達したことが容易に把握される。
【００５１】
（３）
各施設１１−１４においては、多数の商品Ｇが流通することが通常であるが、これらの多数の商品Ｇを個々に区別して管理してそれぞれの商品Ｇについての温度を温度監視装置３１−３４が監視することは煩雑である。また、各温度監視装置３１−３４に記憶されるデータの量が増大してしまう。
【００５２】
この商品管理システム１では、個々の商品Ｇに付される無線タグ２０によって、多数の商品Ｇを個別に管理することができる。このため、多数の商品Ｇの個別管理が容易である。また、各温度監視装置３１―３４に記憶されるデータの増大が抑えられる。
（４）
個々の商品Ｇが置かれた温度環境をすべて無線タグ２０に記録することも考えられる。しかし、上記のように温度データ３１０−３４０は時系列的なデータであり、そのデータ量は比較的大きい。このため、無線タグ２０に大きなメモリが必要となる。
【００５３】
この商品管理システム１では、無線タグ２０に記録されるデータは、商品ＩＤ２１０と流通データ４００とである。そして、流通データ４００は、施設ＩＤ４１０や入出荷時刻４３０などであり、温度データ３１０−３４０よりもデータ量が少ない。すなわち、無線タグ２０に記録されるのは少量のデータである。このため、比較的小さなメモリの無線タグ２０を使用することができる。
【００５４】
（５）
この商品管理システム１では、履歴調査端末５０がデータサーバ６０と通信網ＮＴで接続されており、温度履歴データ６００をデータサーバ６０から容易に受け取ることができる。従って、履歴調査端末５０を流通システムの任意の段階に置くことによって、各段階までの商品Ｇの温度履歴を容易に調べることができる。すなわち、上記の例では、第４施設１４において商品Ｇの温度履歴が調べられているが、第３施設１３に履歴調査端末５０を置くことによって、第３施設１３において第３施設１３に到達するまでの商品Ｇの温度履歴を容易に調査することができる。
【００５５】
また、データサーバ６０において温度履歴データ６００が作成され記憶されると、履歴調査端末５０からだけではなく、データサーバ６０にアクセス可能な任意の端末においても温度履歴データ６００を表示させることが可能である。例えば、任意の端末から商品Ｇの商品ＩＤを送信することにより、対応する商品Ｇの温度履歴データ６００を端末上に表示させてもよい。また、一覧形式などで表示、指定することで商品Ｇの温度履歴データ６００を任意の端末によって調べることも可能である。
【００５６】
さらに、各施設１１−１４での入荷時刻と出荷時刻とが分けられて無線タグ２０に書き込まれているため、施設の内部を含む任意の場所で商品Ｇの温度履歴を調査することが可能である。例えば、第２施設１２の内部に保管されている商品Ｇについても、第１施設１１への入荷時刻４３１ａ、第１施設１１からの出荷時刻４３１ｂおよび出荷第２施設１２への入荷時刻４３２ａが無線タグ２０に書き込まれている。このため、商品Ｇが第２施設１２の内部に保管されるまでの温度履歴を容易に調査することができる。
【００５７】
（６）
この商品管理システム１では、流通途中で商品Ｇが分割された場合には、元の商品Ｇの無線タグ２０のデータが、新たな無線タグ２２−２４にコピーされる。そして、新たな無線タグ２２−２４が分割後のそれぞれの商品Ｇ２−Ｇ４に付される。このため、商品Ｇが分割された場合も、無線タグ２０のデータが引き継がれることによって、商品Ｇから分かれた商品Ｇ２−Ｇ４の個別の温度履歴を容易に調査することができる。
【００５８】
＜第２実施形態＞
［構成］
本発明の第２実施形態にかかる商品管理システム２を図１２に示す。
この商品管理システム２では、各施設１１−１４を流通する個々の商品Ｇが、データセンターに配置されるデータサーバ６４によって集中管理される。
【００５９】
この商品管理システム２では、第１ゲート４５、第２ゲート４６、第３ゲート４７および第４ゲート４８とデータサーバ６４とが通信網ＮＴを介して接続されており、各ゲート４５−４８は、無線タグ２５に流通データ４００を書き込むのではなく、商品Ｇの商品ＩＤ２１０と流通データ４００とをデータサーバ６４へと送信する。なお、各ゲート４５−４８は、商品Ｇが流通途中で分割された場合には、元の商品Ｇの商品ＩＤ２１０と分割された旨を示すデータとを併せてデータサーバ６４へと送信する。データサーバ６４は、各ゲート４５−４８から受信した商品ＩＤ２１０と流通データ４００とを記憶する。従って、個々の商品Ｇに付される無線タグ２５には、その商品Ｇの商品ＩＤ２１０のみが記憶されており、流通データ４００は記憶されていない。なお、無線タグ２５に、流通データ４００以外のデータが記憶されていてもよい。
【００６０】
履歴調査端末５３は、無線タグ２５から商品Ｇの商品ＩＤ２１０を読み出して、データサーバ６４へと送信する。データサーバ６４は、履歴調査端末５３から受信した商品ＩＤ２１０に基づいて、その商品ＩＤ２１０に対応する流通データ４００を調べる。そして、データサーバ６４は、商品ＩＤ２１０と流通データ４００とに基づいて、各温度監視装置３１−３４の温度データ３１０−３４０を連結して、その商品Ｇの温度履歴データ６００を作成して記憶する。
【００６１】
他の構成および他の商品管理の手続きフロー等については、第１実施形態にかかる商品管理システム１と同様である。
［特徴］
（１）
この商品管理システム２では、無線タグ２５には、少なくとも商品ＩＤ２１０が記憶されていればよい。従って、予め個々の無線タグ２５に設定されている無線タグＩＤを商品ＩＤ２１０として使用することにより、新たなデータを出荷後の商品Ｇの無線タグ２５に書き込む必要がない。従って、書き込み不可能な読出し専用の無線タグ２５を使用することができる。なお、無線タグＩＤとは、無線タグ２５を他の無線タグと識別するためのコードである。
【００６２】
また、無線タグ２５に代えて、個々の商品Ｇごとに一意なＩＤを有するバーコードを使用することもできる。
さらに、第１実施形態にかかる商品管理システム１と同様に、個々の商品Ｇの温度履歴を容易に調べることができる等の効果を奏することができる。
（２）
この商品管理システム２では、データサーバ６４は、各ゲート４５−４８から受信した商品ＩＤ２１０と流通データ４００とを記憶する。また、データサーバ６４は、温度履歴データ６００を作成して記憶する。従って、商品Ｇに関する各種のデータがデータサーバ６４によって集中管理されている。このため、データサーバ６４にアクセス可能な端末であれば、任意の場所から商品Ｇの温度履歴データ６００を読み出して表示させることが可能である。
【００６３】
＜他の実施形態＞
（１）
上記の実施形態では、商品Ｇの温度履歴が調査されるが、温度以外の管理履歴が調査されてもよい。例えば、商品Ｇが置かれる施設において湿度が監視され、その商品Ｇの湿度履歴データが作成されてもよい。また、温度履歴データ６００と湿度履歴データとが併せて作成されてもよい。
【００６４】
（２）
上記の実施形態では、データサーバ６０，６４が温度履歴データ６００を作成しているが、データサーバ６０，６４ではなく履歴調査端末５０，５３が温度履歴データ６００を作成してもよい。さらに、データサーバ６０，６４を介さずに、履歴調査端末５０，５３が温度監視装置３１−３４から直接に温度データ３１０−３４０を受信してもよい。
【００６５】
また、上記の実施形態では、データサーバ６０，６４が複数の温度監視装置３１−３４から温度データ３１０―３４０を受信して温度データ３１０―３４０の一部を取り出しているが、データサーバ６０，６４が温度データ３１０―３４０のすべてを受信するのではなく、必要な部分だけを各温度監視装置３１−３４から受信してもよい。
【００６６】
（３）
上記の実施形態では、一例として食品の流通を示しているが、本発明が適用される対象は食品の流通に限られるものではなく、各施設１１−１４の温度等、何らかの状態が管理される施設を流通するものであれば、本発明が適用可能である。
【００６７】
（４）
上記の第１実施形態では、ゲート４１−４４，４５−４８によって自動的に無線タグ２０，２５にデータが書き込まれているが、ゲート４１−４４，４５−４８に代えて手動で無線タグ２０，２５にデータを書き込むハンディーターミナルが用いられてもよい。
【００６８】
（５）
上記の実施形態に記載の施設に加えて、食品工場内の冷凍庫や配送前室、配送センタの仕分け室、冷凍庫、冷蔵庫、配送前室、店舗内の冷凍庫や冷蔵庫などを商品Ｇが流通してもよい。
また、上記の施設の他に、卸売り市場などでの冷凍庫、冷蔵庫、仕分け施設などを商品Ｇが流通してもよい。
【００６９】
【発明の効果】
請求項１に記載の商品管理システムでは、複数の管理空間を流通した商品の識別部材に、商品を他の商品と識別する商品識別データと、流通データとが書き込まれる。流通データには、商品が各管理空間を流通したことを示す空間識別データが含まれる。従って、商品の識別部材に書き込まれたデータによって、商品が各管理空間を流通したことが把握される。そして、履歴作成装置が各管理データを関連づけることによって、商品の管理履歴データが作成される。
【００７０】
このように、この商品管理システムでは、商品が流通した管理空間を容易に知ることができる。このため、この商品管理システムでは、複数の管理空間を流通した商品の管理履歴を容易に追跡調査することができる。
請求項２に記載の商品管理システムでは、第１管理空間と第２管理空間とを流通した商品の識別部材に、商品を他の商品と識別する商品識別データと、第１流通データと、第２流通データとが書き込まれる。第１流通データには、商品が第１管理空間を流通したことを示す第１空間識別データが含まれ、第２流通データには、商品が第２管理空間を流通したことを示す第２空間識別データが含まれる。従って、商品の識別部材に書き込まれたデータによって、商品が第１管理空間と第２管理空間とを流通したことが把握される。そして、履歴作成装置が第１管理データと第２管理データとを関連づけることによって、商品の管理履歴データが作成される。
【００７１】
このように、この商品管理システムでは、商品が流通した管理空間を容易に知ることができる。このため、この商品管理システムでは、複数の管理空間を流通した商品の管理履歴を容易に追跡調査することができる。
請求項３に記載の商品管理システムでは、商品の識別部材に記憶された第１時刻データと第２時刻データとから、商品が第１管理空間を出入りした時刻と第２管理空間を出入りした時刻とが分かる。このため、商品が第１管理空間に置かれた期間と第２管理空間に置かれた期間とを通した各時刻での商品の管理履歴が分かる管理履歴データを作成することができる。これにより、この商品管理システムでは、複数の管理空間を流通した商品の管理履歴をより容易に追跡調査することができる。
【００７２】
請求項４に記載の商品管理システムでは、第１管理空間の温度を示す第１温度データと第２管理空間の温度を示す第２温度データとを連結して、商品の管理履歴データを作成することができる。このため、この商品管理システムでは、各管理空間において商品がどのような温度状況下に置かれたかを追跡調査することができる。
【００７３】
請求項５に記載の商品管理システムでは、無線タグを商品に付することにより、商品の管理が行われる。このため、商品のデータの書込みや読出しが容易であり、商品の管理を容易に行うことができる。
請求項６に記載の商品管理システムでは、履歴作成装置は、第１記憶装置および第２記憶装置から、通信網を介して、第１管理データと第２管理データとを受信することができる。このため、この商品管理システムでは、履歴作成装置が第１管理データと第２管理データとを容易に入手して、商品の管理履歴データを容易に作成することができる。
【００７４】
請求項７に記載の商品管理システムでは、識別部材に記憶されたデータを読出し装置によって読み出して履歴作成装置へと送信することができる。このため、任意の管理空間において読出し装置を用いることによって、当該管理空間に至るまでの商品の管理履歴データを履歴作成装置に作成させることができる。
請求項８に記載の商品管理システムでは、読出し装置が、履歴作成装置から商品の管理履歴データを受信して表示することができる。このため、任意の管理空間において読出し装置を用いることによって、当該管理空間に至るまでの商品の管理履歴データを容易に調べることができる。
【００７５】
請求項９に記載の商品管理方法では、第１管理空間と第２管理空間とを流通した商品の識別部材に、商品を他の商品と識別する商品識別データと、第１流通データと、第２流通データとが書き込まれる。第１流通データには、商品が第１管理空間を流通したことを示す第１空間識別データが含まれ、第２流通データには、商品が第２管理空間を流通したことを示す第２空間識別データが含まれる。従って、商品の識別部材に書き込まれたデータによって、商品が第１管理空間と第２管理空間とを流通したことが把握される。そして、第１管理データと第２管理データとが関連づけられることによって、商品の管理履歴データが作成される。
【００７６】
このように、この商品管理方法では、商品が流通した管理空間を容易に知ることができる。このため、この商品管理方法では、複数の管理空間を流通した商品の管理履歴を容易に追跡調査することができる。
請求項１０に記載の商品管理方法では、商品が流通途中において分割されたときに、識別部材に書き込まれたデータが、分割された商品のそれぞれに付される新たな識別部材にコピーされる。このため、分割された商品の分割前と分割後とを合わせた管理履歴を容易に追跡調査することができる。
【００７７】
請求項１１に記載の商品管理装置では、第１管理空間と第２管理空間とを流通した商品の識別部材が記憶する商品識別データと、第１流通データと、第２流通データとが受信される。そして、第１流通データには、商品が第１管理空間を流通したことを示す第１空間識別データが含まれ、第２流通データには、商品が第２管理空間を流通したことを示す第２空間識別データが含まれる。従って、商品の識別部材に書き込まれたデータによって、商品が第１管理空間と第２管理空間とを流通したことが把握される。また、この商品管理装置では、第１管理データと第２管理データとが受信される。そして、履歴作成部が第１管理データと第２管理データとを関連づけることによって、商品の管理履歴データが作成される。
【００７８】
このように、この商品管理装置では、商品が流通した管理空間を容易に知ることができる。このため、この商品管理装置では、複数の管理空間を流通した商品の管理履歴を容易に追跡調査することができる。
請求項１２に記載の商品管理システムでは、第１管理空間と第２管理空間とを流通した商品の識別部材は、商品を他の商品と識別する商品識別データを有する。そして、第１流通データと第２流通データとが履歴作成装置へと送信される。第１流通データには、商品が第１管理空間を流通したことを示す第１空間識別データが含まれ、第２流通データには、商品が第２管理空間を流通したことを示す第２空間識別データが含まれる。従って、履歴作成装置は、商品の識別部材に書き込まれた商品識別データによって商品を認識して、その商品の第１流通データと第２流通データを参照することによって商品が第１管理空間と第２管理空間とを流通したことが把握される。そして、履歴作成装置が第１管理データと第２管理データとを関連づけることによって、商品の管理履歴データが作成される。
【００７９】
このように、この商品管理システムでは、商品が流通した管理空間を容易に知ることができる。このため、この商品管理システムでは、複数の管理空間を流通した商品の管理履歴を容易に追跡調査することができる。
また、この商品管理システムでは、初めに商品識別データを識別部材に持たせればよく、その後に識別部材にデータを書き込む必要が少ない。このため、識別部材に書き込まれるデータを低減することができる。あるいは、読出し専用の識別部材を使用することができる。
【図面の簡単な説明】
【図１】流通システムの概略図。
【図２】第１実施形態にかかる商品管理システムの構成図。
【図３】（ａ）無線タグに書き込まれる商品データを示す図。
（ｂ）無線タグに書き込まれる第１流通データを示す図。
（ｃ）無線タグに書き込まれる第２流通データを示す図。
（ｄ）無線タグに書き込まれる第３流通データを示す図。
（ｅ）無線タグに書き込まれる第４流通データを示す図。
【図４】（ａ）第１施設での手続きフローを示す図。
（ｂ）第２施設、第３施設または第４施設での手続きフローを示す図。
（ｃ）商品が分割された場合の手続きフローを示す図。
【図５】無線タグに書き込まれる商品データを示す図。
【図６】（ａ）分割前の商品および無線タグに記憶されている商品データを示す図。
（ｂ）分割後の商品および無線タグにコピーされた商品データを示す図。
【図７】（ａ）第１温度監視装置における手続きフロー。
（ｂ）第２温度監視装置における手続きフロー。
【図８】第１温度データ、第２温度データ、第３温度データおよび第４温度データを示す図。
【図９】（ａ）履歴調査端末における手続きフロー。
（ｂ）データサーバにおける手続きフロー。
【図１０】（ａ）各温度データの部分温度データを示す図。
（ｂ）温度履歴データを示す図。
【図１１】複数の流通経路を示す図。
【図１２】第２実施形態にかかる商品管理システムの構成図。
【符号の説明】
１，２      商品管理システム
１１        第１施設（第１管理空間、管理空間）
１２        第２施設（第２管理空間、管理空間）
１３        第３施設（管理空間）
１４        第４施設（管理空間）
２０，２２−２５  無線タグ（識別部材）
３１        第１温度監視装置（記憶装置、第１記憶装置）
３２        第２温度監視装置（記憶装置、第２記憶装置）
３３        第３温度監視装置（記憶装置）
３４        第４温度監視装置（記憶装置）
４１        第１ゲート（書込み装置、第１書込み装置）
４２        第２ゲート（書込み装置、第２書込み装置）
４３        第３ゲート（書込み装置）
４４        第４ゲート（書込み装置）
４５        第１ゲート（第１送信装置）
４６        第２ゲート（第２送信装置）
５０        履歴調査端末（読出し装置）
６０，６４  データサーバ（履歴作成装置、商品管理装置）
６１        通信部（第１受信部、第２受信部）
６３        履歴作成部
２１０      商品ＩＤ（商品識別データ）
３１０      第１温度データ（管理データ、第１管理データ）
３２０      第２温度データ（管理データ、第２管理データ）
３３０      第３温度データ（管理データ）
３４０      第４温度データ（管理データ）
４０１      第１流通データ（流通データ、第１流通データ）
４０２      第２流通データ（流通データ、第２流通データ）
４０３      第３流通データ（流通データ）
４０４      第４流通データ（流通データ）
４１１      第１施設の施設ＩＤ（空間識別データ、第１空間識別データ）
４１２      第２施設の施設ＩＤ（空間識別データ、第２空間識別データ）
４１３      第３施設の施設ＩＤ（空間識別データ）
４１４      第４施設の施設ＩＤ（空間識別データ）
４３１      第１施設の入出荷時刻（第１時刻データ）
４３２      第２施設の入出荷時刻（第２時刻データ）
６００      温度履歴データ（管理履歴データ）
Ｇ，Ｇ２−Ｇ４  商品
ＮＴ        通信網
【図１】
2004299827.tif 000003
【図２】
2004299827.tif 000004
【図３】
2004299827.tif 000005
【図４】
2004299827.tif 000006
【図５】
2004299827.tif 000007
【図６】
2004299827.tif 000008
【図７】
2004299827.tif 000009
【図８】
2004299827.tif 000010
【図９】
2004299827.tif 000011
【図１０】
2004299827.tif 000012
【図１１】
2004299827.tif 000013
【図１２】
2004299827.tif 000014